(57)【要約】【課題】複数の処理装置で操作者ごとに設定を異ならせることを容易にする。【解決手段】画像処理を行うデジタル複合機１０は、操作者から取得したユーザＩＤ及びパスワードを認証サーバ３０へ送信し、送信したユーザＩＤ及びパスワードに対する認証成否を認証サーバ３０から受信する。さらに、デジタル複合機１０は、認証が成功したユーザＩＤ及びパスワードに対応づけられた設定情報を認証サーバ３０から受信し、受信した設定情報を設定に反映させる。認証サーバ３０には、ユーザＩＤと、認証が成功した後にデジタル複合機１０の設定に反映される設定情報とが対応づけられて格納されている。【選択図】図１
2007116531.tif 000002
【特許請求の範囲】
【請求項１】
所定の処理を行う処理装置であって、
操作者から取得した認証情報を外部の認証サーバへ送信し、送信した認証情報に対する認証成否を前記認証サーバから受信する認証取得手段と、
認証が成功した認証情報に対応づけられた設定情報を前記認証サーバから受信する設定情報受信手段と、
認証が成功した後に、受信した設定情報を前記処理装置の設定に反映させる反映手段と、
を備えることを特徴とする処理装置。
【請求項２】
請求項１に記載の処理装置において、
原稿上の画像を読み取り、当該画像に係る画像データを生成する画像読取手段、
をさらに備え、
受信した設定情報が反映される設定に、前記画像読取手段が生成した画像データの保存先に関する設定が含まれることを特徴とする処理装置。
【請求項３】
請求項１に記載の処理装置において、
操作手順を記述したキーマクロを呼び出すための呼出手段と、
前記呼出手段によって呼び出されたキーマクロを実行する実行手段と、
をさらに備え、
受信した設定情報が反映される設定に、キーマクロに関する設定が含まれることを特徴とする処理装置。
【請求項４】
認証サーバであって、
認証情報と、認証が成功した後に外部の処理装置の設定に反映される設定情報とを対応づけて格納する格納手段と、
認証情報を前記処理装置から受信し、受信した認証情報に対する認証成否を前記処理装置へ送信する認証提供手段と、
認証が成功した認証情報に対応づけられた設定情報を前記処理装置へ送信する設定情報送信手段と、
を備えることを特徴とする処理装置。
【請求項５】
処理システムであって、
所定の処理を行う処理装置と、
認証サーバと、
を備え、
前記処理装置は、
操作者から取得した認証情報を前記認証サーバへ送信し、送信した認証情報に対する認証成否を前記認証サーバから受信する認証取得手段と、
認証が成功した認証情報に対応づけられた設定情報を前記認証サーバから受信する設定情報受信手段と、
認証が成功した後に、受信した設定情報を前記処理装置の設定に反映させる反映手段と、
を備え
前記認証サーバは、
認証情報と設定情報とを対応づけて格納する格納手段と、
認証情報を前記処理装置から受信し、受信した認証情報に対する認証成否を前記処理装置へ送信する認証提供手段と、
認証が成功した認証情報に対応づけられた設定情報を前記処理装置へ送信する設定情報送信手段と、
を備えることを特徴とする処理システム。
【発明の詳細な説明】
【技術分野】
【０００１】
本発明は、設定を操作者ごとに異ならせることができる処理装置、当該処理装置を含む処理システムに関する。
【背景技術】
【０００２】
従来より、デジタル複合機（ＭＦＰ；Multi Function Peripherals）等の処理装置の利便性を向上するため、処理装置の設定を操作者ごとに異ならせることが行われている。
【０００３】
例えば、特許文献１には、認証情報（ユーザＩＤ及びパスワード）と設定情報（ユーザ情報）とを対応づけて記憶し、認証情報に対する認証が成功した後に、当該設定情報を設定に反映させる画像処理装置が開示されている。
【０００４】
【特許文献１】特開２００４−２２９２３９号公報
【発明の開示】
【発明が解決しようとする課題】
【０００５】
しかし、特許文献１の技術を採用した場合、処理装置の設定を操作者ごとに異ならせることはできるものの、複数の処理装置で操作者ごとに設定を異ならせようとすると、各処理装置に設定情報をマニュアル入力する必要があった。
【０００６】
本発明は、この問題を解決するためになされたもので、複数の処理装置で操作者ごとに設定を異ならせることを容易にすることを目的とする。
【課題を解決するための手段】
【０００７】
上記課題を解決するため、請求項１の発明は、所定の処理を行う処理装置であって、操作者から取得した認証情報を外部の認証サーバへ送信し、送信した認証情報に対する認証成否を前記認証サーバから受信する認証取得手段と、認証が成功した認証情報に対応づけられた設定情報を前記認証サーバから受信する設定情報受信手段と、認証が成功した後に、受信した設定情報を前記処理装置の設定に反映させる反映手段とを備える。
【０００８】
請求項２の発明は、請求項１に記載の処理装置において、原稿上の画像を読み取り、当該画像に係る画像データを生成する画像読取手段、をさらに備え、受信した設定情報が反映される設定に、前記画像読取手段が生成した画像データの保存先に関する設定が含まれる。
【０００９】
請求項３の発明は、請求項１に記載の処理装置において、操作手順を記述したキーマクロを呼び出すための呼出手段と、前記呼出手段によって呼び出されたキーマクロを実行する実行手段とをさらに備え、受信した設定情報が反映される設定に、キーマクロに関する設定が含まれる。
【００１０】
請求項４の発明は、認証サーバであって、認証情報と、認証が成功した後に外部の処理装置の設定に反映される設定情報とを対応づけて格納する格納手段と、認証情報を前記処理装置から受信し、受信した認証情報に対する認証成否を前記処理装置へ送信する認証提供手段と、認証が成功した認証情報に対応づけられた設定情報を前記処理装置へ送信する設定情報送信手段と、を備える。
【００１１】
請求項５の発明は、処理システムであって、所定の処理を行う処理装置と、認証サーバとを備え、前記処理装置は、操作者から取得した認証情報を前記認証サーバへ送信し、送信した認証情報に対する認証成否を前記認証サーバから受信する認証取得手段と、認証が成功した認証情報に対応づけられた設定情報を前記認証サーバから受信する設定情報受信手段と、認証が成功した後に、受信した設定情報を前記処理装置の設定に反映させる反映手段とを備え前記認証サーバは、認証情報と設定情報とを対応づけて格納する格納手段と、認証情報を前記処理装置から受信し、受信した認証情報に対する認証成否を前記処理装置へ送信する認証提供手段と、認証が成功した認証情報に対応づけられた設定情報を前記処理装置へ送信する設定情報送信手段とを備える。
【発明の効果】
【００１２】
請求項１ないし請求項５の発明によれば、複数の処理装置で操作者ごとに設定を異ならせる場合に各処理装置に設定情報をマニュアル入力する必要がないので、複数の処理装置で操作者ごとに設定を異ならせることが容易になる。
【００１３】
請求項２の発明によれば、画像読取手段が生成した画像データの保存先を操作者ごとに異ならせることができる。
【００１４】
請求項３の発明によれば、呼び出し可能なキーマクロを操作者ごとに異ならせることができる。
【発明を実施するための最良の形態】
【００１５】
＜１  画像処理システムの全体構成＞
図１は、本発明の望ましい実施形態に係る画像処理システム１の全体構成を示すブロック図である。
【００１６】
図１を参照して説明すると、画像処理システム１は、デジタル複合機１０（１１，１２）と、パーソナルコンピュータ２０と、認証サーバ３０とを備える。なお、以下では、２つのデジタル複合機を区別する必要がない場合は参照符号１０を用い、区別する必要がある場合は参照符号１１，１２を用いる。
【００１７】
デジタル複合機１０、パーソナルコンピュータ２０及び認証サーバ３０は、ＬＡＮ（Local Area Network）５０に接続され、相互に通信可能となっている。また、デジタル複合機１０は、公衆交換電話網（ＰＳＴＮ；Public Switched Telephone Networks）９１に接続されている。ＬＡＮ５０は、ルータ４０等のネットワーク機器を介してインターネット９２等の外部ネットワークと接続されている。
【００１８】
デジタル複合機１０は、コピーモード、ファックスモード、スキャナモード及びプリンタモードを有し、画像処理を行う画像処理装置としての役割を果たしている。
【００１９】
パーソナルコンピュータ２０は、画像処理システム１におけるクライアントコンピュータである。
【００２０】
認証サーバ３０は、ＬＤＡＰ（Lightweight Directory Access Protocol）サービス等のディレクトリサービスを提供するサーバコンピュータである。
【００２１】
ここで、認証サーバ３０がＬＤＡＰサーバであるとして、認証処理及びオプション処理を行うときのデジタル複合機１０と認証サーバ３０との間の通信手順について、図２を参照しながら説明する。
【００２２】
認証処理を行う場合、まず、デジタル複合機１０から認証サーバ３０に対して結合操作（BIND Operation）７１が行われ、当該結合操作７１に応答して、認証サーバ３０からデジタル複合機１０へ結合結果（BIND Result）７２が返される。結合操作７１にあたっては、デジタル複合機１０から認証サーバ３０へ認証情報となるユーザＩＤ及びパスワードが送信され、認証サーバ３０は、ユーザＩＤ及びパスワードが適切である場合は、デジタル複合機１０へ"true"を返してデジタル複合機１０の結合を許可し、ユーザＩＤ及びパスワードが適切でない場合は、デジタル複合機１０へ"false"を返してデジタル複合機１０の結合を許可しない。すなわち、結合操作７１は、デジタル複合機１０から認証サーバ３０に対する認証要求となっており、結合結果（結合許否）は、デジタル複合機１０から与えられた認証要求に含まれる認証情報に対する認証結果（認証成否）となっている。
【００２３】
認証処理に続いて、デジタル複合機１０と認証サーバ３０との間では、追加的に実行可能なオプション処理が実行される。オプション処理では、デジタル複合機１０から認証サーバ３０へ検索要求（Search）７３が送信され、当該検索要求７３に応答して、認証サーバ３０からデジタル複合機１０へレコード情報を含む検索結果（Search Result）７４が返される。このオプション処理は、１回だけ実行することもできるし、２回以上実行することもできる。
【００２４】
認証処理及びオプション処理の後、デジタル複合機１０から認証サーバ３０に対して結合解除操作（UNBIND Operation）７５が行われ、デジタル複合機１０と認証サーバ３０との間の一連の通信手順が終了する。
【００２５】
＜２  デジタル複合機の構成＞
図３は、デジタル複合機１０の構成を示すブロック図である。
【００２６】
図３に示すように、デジタル複合機１０は、ＭＰＵ（マイクロプロセッサ；MicroProcessor Unit）１１１、ＲＯＭ１１２及びＲＡＭ１１３を備える。ＭＰＵ１１１、ＲＯＭ１１２及びＲＡＭ１１３によって実現されるマイクロコンピュータ１１０は、ＲＯＭ１１２に格納されたプログラムを実行することにより、デジタル複合機１０の各構成を統括制御し、デジタル複合機１０の各種機能を実現している。
【００２７】
デジタル複合機１０のフラッシュメモリ１２１は、継続的に記憶すべき情報を記憶する。また、デジタル複合機１０の画像メモリ１２２は、デジタル複合機１０が処理対象とする画像を画像データとして記憶する。
【００２８】
デジタル複合機１０には、ユーザインターフェースとして、操作部１２５と表示部１２６とが設けられる。デジタル複合機１０では、表示部１２６に液晶タッチパネルディスプレイが採用されており、表示部１２６が操作部１２５の一部を兼ね備えている。
【００２９】
デジタル複合機１０は、画像読取部１２３及び画像記録部１２４を備える。画像読取部１２３は、ＣＣＤ（Charge Coupled Device）イメージセンサ等により原稿上の画像を読み取り、当該画像に係る画像データを生成する。画像読取部１２３は、ＡＤＦ（Automatic Document Feeder）方式又はＦＢＳ（Flat Bed Scanner）方式により原稿上の画像を読み取ることができる。画像記録部１２４は、電子写真方式により、画像データに係る画像を記録媒体上に形成する。
【００３０】
ネットワークインターフェース１２７は、例えば、イーサネット（登録商標）により、デジタル複合機１０をＬＡＮ５０に接続する。
【００３１】
ＮＣＵ（網制御装置；Network Control Unit）１２８及びＭＯＤＥＭ（モデム；MOdulator DEModulator）１２９は、公衆交換電話網９１を経由したファックス画像の送受信に用いられる。ＮＣＵ１２８は、公衆交換電話網９１への接続を制御する。ＮＣＵ１２８は、通信先の電話番号に対応したダイヤル信号を送出する機能及び着信を検出する機能を備える。ＭＯＤＥＭ１２９は、ＩＴＵ（国際電気通信連合）−Ｔ勧告Ｔ.３０にしたがったファックス伝送制御手順に基づいて、Ｖ．１７，Ｖ．２７ｔｅｒ，Ｖ．２９等にしたがった送信データの変調及び受信データの復調を行う。又は、ＭＯＤＥＭ１２９は、これらに加えて、Ｖ．３４にしたがった送信データの変調及び受信データの復調を行う。
【００３２】
コピーモードでは、デジタル複合機１０は、画像読取部１２３を用いて原稿上の画像を読み取り、画像記録部１２４を用いて当該画像を記録媒体上に形成することにより、原稿から記録媒体へ画像をコピーする（コピー機能）。
【００３３】
ファックスモードでは、デジタル複合機１０は、画像読取部１２３を用いて原稿上の画像を読み取り、ＮＣＵ１２８及びＭＯＤＥＭ１２９を用いて当該画像を他のファックス装置へ送信する（ファックス送信機能）。また、デジタル複合機１０は、他のファックス装置から送信されてきた画像を、画像記録部１２４を用いて記録媒体上に形成する（ファックス受信機能）。なお、デジタル複合機１０は、公衆交換電話網９１を用いたファックスの送受信において、Ｇ３方式やスーパーＧ３方式を用いている。
【００３４】
スキャナモードでは、デジタル複合機１０は、画像読取部１２３を用いて原稿上の画像を読み取り、当該画像を設定された保存先へ保存する（スキャナ機能）。デジタル複合機１０では、当該保存先として、ネットワーク５０に接続されたパーソナルコンピュータ２０のフォルダ（ディレクトリ）を指定することができる。
【００３５】
プリンタモードでは、デジタル複合機１０は、パーソナルコンピュータ２０からＬＡＮ５０を経由して送信されてきた画像を受信し、画像記録部１２４を用いて当該画像を記録媒体上に形成する（プリンタ機能）。
【００３６】
デジタル複合機１０では、図４に示すようなキーマクロ選択画面７１を表示部１２６に表示させることができる。キーマクロ選択画面７１には、操作手順を記述したキーマクロを呼び出すためのソフトウエアキー７１０が含まれる。ただし、キーマクロ選択画面７１には、操作手順が記述されておらず内容が登録されていないキーマクロに対応するソフトウエアキーは表示されていない。さらに、ソフトウエアキー７１０には、所望のキーマクロを呼び出すことを容易にすることを目的として、割り当てられているキーマクロに付与された名称（「ソートコピー  縮小  ８１％」「部門管理リスト」）が表示されている。なお、キーマクロに付与された名称は、所定の手順により編集することができる。
【００３７】
デジタル複合機１０は、ソフトウエアキー７１０に対する押下操作が行われると、押下操作の対象となったソフトウエアキー７１０に割り当てられているキーマクロの内容をフラッシュメモリ１２１から読み出し、操作者から与えられた実行指示に応答して当該キーマクロを実行する。すなわち、デジタル複合機１０は、ソフトウエアキー７１０に割り当てられているキーマクロが呼び出されると、呼び出されたキーマクロに登録されている操作手順による操作を再現可能な状態となる。
【００３８】
＜３  認証サーバの構成＞
図５は、認証サーバ３０の構成を示すブロック図である。
【００３９】
図５に示すように、認証サーバ３０は、ＭＰＵ３１１、ＲＯＭ３１２及びＲＡＭ３１３を備える。コンピュータである認証サーバ３０は、ＲＯＭ３１２に格納されたプログラムを実行することにより、認証サーバ３０の各構成を統括制御し、認証サーバ３０の各種機能を実現している。
【００４０】
認証サーバ３０のハードディスクドライブ（ＨＤＤ；Hard Disk Drive）３２１は、大容量の補助記憶装置である。
【００４１】
認証サーバ３０には、ユーザインターフェースとして、操作部３２２と表示部３２３とが設けられる。
【００４２】
ネットワークインターフェース３２４は、例えば、イーサネット（登録商標）により、認証サーバ３０をＬＡＮ５０に接続する。
【００４３】
ハードディスクドライブ３２１には、図６に例示するようなレコード情報ＲＩが格納されている。レコード情報ＲＩは、各操作者のユーザＩＤと、認証が成功した後にデジタル複合機１０の設定に反映される設定情報とを対応づけた情報である。なお、図６に例示するレコード情報ＲＩには、ユーザＩＤ及び設定設定の他にも、名前、部署、電話番号及び電子メールアドレスが含まれている。もちろん、これら以外の項目をレコード情報ＲＩに追加してもよい。
【００４４】
設定情報には、スキャナモードで画像読取部１２３が生成した画像データの保存先のネットワークパス（PATH）が含まれている。
【００４５】
さらに、設定情報には、キーマクロ（MACRO1,MACRO2,・・・）の内容が含まれている。キーマクロの内容は、操作対象のキーに付与されているキーコードを操作順序にしたがって記述することによって特定されている。なお、図６において、キーマクロの内容が"Ｎ/Ａ"となっているのは、当該キーマクロの内容が未登録であることを示している。
【００４６】
＜４  操作者ごとの設定について＞
デジタル複合機１０は、操作者ごとに設定を異ならせることができるように構成されている。
【００４７】
操作者ごとに異ならせることができる設定の種類は制限されないが、以下では、スキャナモードで画像読取部１２３が生成した画像データの保存先のネットワークパスのデフォルト値と、呼び出し可能なキーマクロの内容とを操作者ごとに異ならせることができる場合を例として説明を進める。
【００４８】
図７は、デジタル複合機１０及び認証サーバ３０の動作を説明するフローチャートである。図７のフローチャートで説明する動作は、マイクロコンピュータ１１０がＲＯＭ１１２に格納されたプログラムを実行することにより、及び、コンピュータである認証サーバ３０がＲＯＭ３１２に格納されたプログラムを実行することにより実現される。
【００４９】
図７に示すように、デジタル複合機１０は、ログイン操作が行われると（ステップＳ１０１）、操作者から取得したユーザＩＤ及びパスワード、すなわち、ログイン操作で操作者が入力したユーザＩＤ及びパスワードを含む認証要求を認証サーバ３０へ送信する（ステップＳ１０２）。
【００５０】
これに応答して、認証サーバ３０は、当該認証要求をデジタル複合機１０から受信し（ステップＳ２０１）、受信したユーザＩＤ及びパスワードに対する認証成否をデジタル複合機１０へ送信する（ステップＳ２０２）。
【００５１】
そして、デジタル複合機１０は、送信したユーザＩＤ及びパスワードに対する認証成否を認証サーバ３０から受信する（ステップＳ１０３）。
【００５２】
ステップＳ１０２〜Ｓ１０３及びＳ２０１〜Ｓ２０２の認証処理において、ユーザＩＤ及びパスワードに対する認証が成功しなかった場合（ステップＳ１０４で"NO"）、デジタル複合機１０は、ステップＳ１０１へ戻ってログイン操作のやり直しを操作者に行わせる。
【００５３】
一方、当該認証処理において、ユーザＩＤ及びパスワードに対する認証が成功した場合（ステップＳ１０４で"YES"）、デジタル複合機１０は、認証が成功したユーザＩＤに対応づけられた設定情報の検索要求を認証サーバ３０へ送信する（ステップＳ１０５）。
【００５４】
これに応答して、認証サーバ３０は、当該検索要求をデジタル複合機１０から受信し（ステップＳ２０３）、レコード情報ＲＩから抽出した検索結果の設定情報をデジタル複合機１０へ送信する（ステップＳ２０４）。
【００５５】
そして、デジタル複合機１０は、当該設定情報を認証サーバ３０から受信する（ステップＳ１０６）。
【００５６】
ステップＳ１０５〜Ｓ１０６及びＳ２０３〜Ｓ２０４のオプション処理により設定情報が得られると、デジタル複合機１０は、当該設定情報を設定に反映させる（ステップＳ１０７）。すなわち、デジタル複合機１０は、設定情報に含まれるネットワークパスを、スキャナモードで画像読取部１２３が生成した画像データの保存先のネットワークパスに反映させ、設定情報に含まれるキーマクロの内容を、フラッシュメモリ１２１に記憶されているキーマクロの内容に反映させる。
【００５７】
上述の構成及び動作により、画像処理システム１では、複数の画像処理装置で操作者ごとに設定を異ならせる場合でも、デジタル複合機１１，１２の各々に設定情報をマニュアル入力する必要がないので、デジタル複合機１１，１２で操作者ごとに設定を異ならせることが容易になる。もちろん、画像処理システム１が３つ以上のデジタル複合機を含む場合でも同様のことが言える。
【００５８】
＜５  変形例＞
○キーマクロ選択画面；
上述のキーマクロ選択画面７１では、内容が未登録のキーマクロに対応するソフトウエアキーは表示されないとしたが、内容が未登録のキーマクロに対応するソフトウエアキーを表示するようにしてもよい。この場合、内容が未登録であることを容易に認識できるようにするために、ソフトウエアキー７１０の表示形態すなわちソフトウエアキー７１０の形状、模様及び色彩を、内容が登録されているものと登録されていないものとで異ならせておくことが望ましい。
【００５９】
○キーマクロの呼び出し；
上述の実施形態では、キーマクロを呼び出すためにソフトウエアキー７１を用いる例を示したが、ハードウエアキーによってキーマクロを呼び出すようにすることも妨げられない。この場合、キーマクロの呼び出しに用いられるハードウエアキーと当該ハードウエアキーに割り当てられているキーマクロに付与された名称とを操作者に認識させる情報を表示部１２５に表示させることが望ましい。
【００６０】
○設定情報の送信；
上述の実施形態では、認証処理が終了した後に、デジタル複合機１０から認証サーバ３０へ設定情報の検索要求を送信していたが、このような検索要求を送信することなく、認証の成功に同期して認証サーバか３０からデジタル複合機１０へ設定情報が自動的に送信されるようにしてもよい。また、設定情報の送信は、１回のオプション処理で完了するようにしてもよいし、２回以上のオプション処理で完了するようにしてもよい。例えば、設定情報のひとつの項目（PATH,MACRO1,MACRO2,・・・の各々）ごとに１回のオプション処理を行うようにしてもよい。
【００６１】
○操作者ごとに異ならせる設定；
操作者ごとに異ならせることができる設定、すなわち、設定情報が反映される設定に、スキャナモードで画像読取部１２３が生成した画像データの保存先のネットワークパスのデフォルト値や呼び出し可能なキーマクロの内容以外のものを含めてもよい。例えば、操作者ごとに異ならせることができる設定に、操作部１２５のワンタッチキーに割り当てられた電話番号、電子メールアドレス及び宛先名称等の通信先情報を含めてもよい。これにより、共通のワンタッチキーを複数の操作者で共用しつつ、ワンタッチキーへの通信先情報の割り当てを操作者ごとに異ならせることができる。
【図面の簡単な説明】
【００６２】
【図１】本発明の望ましい実施形態に係る画像処理システム１の全体構成を示すブロック図である。
【図２】認証処理及びオプション処理を行うときのデジタル複合機１０と認証サーバ３０との間の通信手順を示す図である。
【図３】デジタル複合機１０の構成を示すブロック図である。
【図４】キーマクロ選択画面７１を示す図である。
【図５】認証サーバ３０の構成を示すブロック図である。
【図６】レコード情報ＲＩを例示する図である。
【図７】デジタル複合機１０及び認証サーバ３０の動作を説明するフローチャートである。
【符号の説明】
【００６３】
１  画像処理システム
１０  デジタル複合機
２０  クライアントコンピュータ
３０  認証サーバ
５０  ＬＡＮ
７１  キーマクロ選択画面
ＲＩ  レコード情報
【図１】
2007116531.tif 000003
【図２】
2007116531.tif 000004
【図３】
2007116531.tif 000005
【図４】
2007116531.tif 000006
【図５】
2007116531.tif 000007
【図６】
2007116531.tif 000008
【図７】
2007116531.tif 000009